(57)【要約】【課題】パッキンがクリップの使用前後共に確実に外れないようにし、それにより安定したシール特性を付与したり使い勝手をより向上する。【解決手段】クリップ１がパネルの取付孔３ａに挿入し抜け止めされる脚部１０及び脚部の上側に設けられてパネル３と対向されるフランジ部１３並びにフランジ部の上側に設けられた頭部１１とを備え、フランジ部１２とパネル３との間に配置される防水用弾性パッキン２をクリップ１に予め取り付けるパッキン取付構造において、クリップ１は頭部１１ないしはフランジ部１３の近傍に突出されて脚部１０の軸線に対し横方向に延びた被係止部１２を有していると共に、パッキン２は脚部１０を挿通させる通し孔２３及び通し孔を挟んだ両側に設けられて被係止部１２と係合する係合部２４を有していることを特徴としている。【選択図】図４
2013217451.tif 000002
【特許請求の範囲】
【請求項１】
クリップが被取付部材の取付孔に挿入し抜け止めされる脚部及び前記脚部の上側に設けられて前記被取付部材と対向されるフランジ部並びに前記フランジ部の上側に設けられた頭部とを備え、前記フランジ部と前記被取付部材との間に配置される防水用弾性パッキンを前記クリップに予め取り付けるパッキン取付構造において、
前記クリップは前記頭部ないしは前記フランジ部近傍に突出されて前記脚部の軸線に対し横方向に延びた被係止部を有していると共に、前記パッキンは前記脚部を挿通させる通し孔及び前記通し孔を挟んだ両側に設けられて前記被係止部と係合する係合部を有していることを特徴とするクリップへのパッキン取付構造。
【請求項２】
前記被係止部が前記頭部の一部を形成している片部であり、前記係合部が前記片部を前記パッキンの一方の面から他方の面側へ挿通可能にする係合孔であることを特徴とする請求項１に記載のクリップへのパッキン取付構造。
【請求項３】
前記パッキンは、前記通し孔を中心としたシール部と前記各係合孔を形成している取付部との間に形成された折り曲げ用の幅細部を有していることを特徴とする請求項２に記載のクリップへのパッキン取付構造。
【請求項４】
前記クリップは、前記パッキンと重なる前記片部の上面に形成された嵩高吸収用の窪み部を有していることを特徴とする請求項２又は３に記載のクリップへのパッキン取付構造。
【発明の詳細な説明】
【技術分野】
【０００１】
本発明は、クリップが被取付部材の取付孔に挿入抜け止めされた状態での水密性を保つため、クリップに予め防水用弾性パッキンを組み付けておく場合に好適なクリップへのパッキン取付構造に関する。
【背景技術】
【０００２】
図６（ａ）と（ｂ）は特許文献１に開示のクリップへのパッキン取付構造の２例を示している。これらのパッキン取付構造では、図示しないパネルの取付孔に挿入し抜け止めされる脚部１３,３３及びその脚部の上側に設けられてパネルと対向される皿部ないしはフランジ部１５,３５並びにそのフランジ部の上側に設けられた頭部（バックル部及び取付部）１２とを備え、フランジ部１５，３５とパネルとの間に配置される防水用弾性パッキン２０，４０をクリップ１０，３０に予め一体的に嵌合することにより、パッキン２０がクリップ１０から離脱しないようにしている。
【０００３】
詳述すると、同（ａ）のパッキン取付構造は、パッキン２０の外周部に折返部２３を設け、該折返部２３内にフランジ部１５の外周縁を嵌め込む構成である。また、同（ｂ）のパッキン取付構造は、クリップ３０の軸部３３の外周面に凹凸３６を設ける一方、パッキン４０の内周に凹凸４３を設けて軸部側凹凸３６と嵌合させる構成である。
【先行技術文献】
【特許文献】
【０００４】
【特許文献１】特開２００４−１７６７３４号公報
【発明の開示】
【発明が解決しようとする課題】
【０００５】
上記したパッキン取付構造は、パッキンをクリップに予め一体的に嵌合して外れないようにしているため、搬送工程での取扱性、クリップのパネルに対する取付操作性などをそれなりに改善できるが、次のような観点から未だ満足できなかった。
【０００６】
すなわち、両者のパッキン取付構造は、同（ａ）の場合はパッキンがクリップに対して折返部をフランジ部の外周縁に嵌め込んでいるだけなので、同（ｂ）の場合はパッキンがクリップに対しパッキン側孔周囲と軸部とを凹凸嵌合にしているだけなので、振動などにより外れたり脱落しやすく、例えばクリップをパネルに取り付ける操作において利点も半減していまう。
【０００７】
そこで、本発明の目的は、以上のような課題を解消して、簡明性及び組み付け性を維持しながら、使用前後共に確実に外れないようにして、それにより安定したシール特性を付与したり使い勝手をより向上することにある。
【課題を解決するための手段】
【０００８】
上記目的を達成するため本発明は、クリップが被取付部材の取付孔に挿入し抜け止めされる脚部及び前記脚部の上側に設けられて前記被取付部材と対向されるフランジ部並びに前記フランジ部の上側に設けられた頭部とを備え、前記フランジ部と前記被取付部材との間に配置される防水用弾性パッキンを前記クリップに予め取り付けるパッキン取付構造において、前記クリップは前記頭部ないしは前記フランジ部近傍に突出されて前記脚部の軸線に対し横方向に延びた被係止部を有していると共に、前記パッキンは前記脚部を挿通させる通し孔及び前記通し孔を挟んだ両側に設けられて前記被係止部と係合する係合部を有していることを特徴としている。
【０００９】
以上の発明においては次のように具体化されることがより好ましい。すなわち、
（１）前記被係止部が前記頭部の一部を形成している片部であり、前記係合部が前記片部を前記パッキンの一方の面から他方の面側へ挿通可能にする係合孔である（請求項２）。
（２）前記パッキンは、前記通し孔を中心としたシール部と前記各係合孔を形成している取付部との間に形成された折り曲げ用の幅細部を有している構成である（請求項３）。
（３）前記クリップは、前記パッキンと重なる前記片部の上面に形成された嵩高吸収用の窪み部を有している構成である（請求項４）。なお、嵩高吸収用の窪み部は、例えば図１の例のごとく頭部ないしは片部上に物品を載せたときに、片部の上面に重ねられたパッキン側取付部の対応部分（取付部のうち係合孔より端側部分）が窪み部内に配置されることで片部の上面の凸を極力なくすための凹所である。
【発明の効果】
【００１０】
請求項１の発明では、パッキンが脚部用通し孔を挟んだ両側に係合部を有し、クリップが頭部ないしはフランジ部近傍に突出された脚部の軸線に対し横方向に延びた被係止部を有している。そして、パッキンは、図１及び図４に例示されるごとく、クリップに対しパッキンの通し孔にクリップ側脚部を挿通し、かつ、パッキンの両側の係合部にクリップ側の対応する被係止部を係合して取り付けられているため、破断されない限り、従来構造に比べ離脱や脱落をより確実に防止できる。
【００１１】
請求項２の発明では、以上の利点に加え、被係止部が頭部の一部を形成している片部、係合部がその片部をパッキンの一方の面から他方の面側へ挿通可能にする係合孔であることから、構造の簡明性及び良好な組み付けないしは取付操作性を維持できる。
【００１２】
請求項３の発明では、パッキンが図１及び図４に例示されるごとく幅細部を介して適度に折り曲げられるため、パッキンの厚さ寸法が大きくなる場合でも良好な取付操作性を維持できる。
【００１３】
請求項４の発明では、クリップが片部の上面に形成された窪み部にパッキンの重ね部を配置するため、頭部ないしは片部上に長尺な物品を載せるような構成でも前記パッキンの重ね部の出っ張りを吸収して安定した載置状態を維持できる。
【図面の簡単な説明】
【００１４】
【図１】（ａ）は発明形態のパッキン取付構造を適用したクリップをパネルに取り付けた状態で示す側断面図、（ｂ）は前記クリップに物品を保持した一例を示す図である。
【図２】上記クリップ単品を示し、（ａ）は上面図、（ｂ）は（ａ）のＡ−Ａ線に沿って半断面した正面図、（ｃ）は（ａ）のＢ−Ｂ線に沿って半断面した側面図、（ｄ）は底面側の一部を示す下面図である。
【図３】上記パッキン単品を示し、（ａ）は上面図、（ｂ）は（ａ）のＣ−Ｃ線断面図、（ｃ）は外観を示す概略斜視図である。
【図４】（ａ）と（ｂ）は上記パッキンをクリップに取り付ける操作例を示す模式断面図である。
【図５】（ａ）と（ｂ）は上記パッキンをクリップに取り付ける第２の操作例を示す模式断面図である。
【図６】（ａ）と（ｂ）は特許文献１に開示されている２つのパッキン取付構造を示す説明図である。
【発明を実施するための最良の形態】
【００１５】
本発明の最適な形態を図面を参照しながら説明する。以下の説明では、クリップへのパッキン取付構造の構造特徴を明らかにした後、パッキンの取付操作及びクリップの使用例に言及する。なお、図１と図４及び図５では、理解し易くするためパネル及びパッキンだけを断面した状態で図示している。
【００１６】
（構造特徴）対象のパッキン取付構造は、図１及び図４に示されるごとく、クリップ１がパネル３に設けられた取付孔３ａに挿入し抜け止めされる脚部１０、及び脚部１０の上側に設けられてパネル３の表面と対向されるフランジ部１３、並びにフランジ部１３の上側に設けられた頭部１１とを備えており、フランジ部１３とパネル３との間に配置される防水用の弾性パッキン２をクリップ１に予め取り付けるための構造である。なお、クリップ１は樹脂成形品であり、パッキン２はラバー成形品である。但し、材質は、クリップ１の場合は樹脂以外でもよく、パッキン２の場合は適度な弾性を有していれば軟質樹脂などのラバー以外でもよい。
【００１７】
要部としては、クリップ１が頭部１１に突出されて脚部１０の軸線に対し横方向に延びた片部１２、特に好ましくは脚部１０の軸線に対し略直角で左右方向に延びた片部１２を有している点、パッキン２が脚部１０を挿通させる通し孔２３及びその通し孔２３を挟んだ両側に設けられて対応する片部１２と係合する係合孔２４を有してい点、片部１２がパッキン２と重なる上面に形成された嵩高吸収用の窪み部１７を有している点、パッキン２が通し孔２３を中心としたシール部２０と各係合孔２４を形成している両側の取付部２２とを有している点、シール部２０と各取付部２２との間に形成された折り曲げ用の幅細部２１を有している点、等にある。以下、これらの細部について詳述する。
【００１８】
まず、クリップ１は図２のごとく物品保持用の例である。脚部１０は、断面が矩形状であり、内部が空洞し、下端が開口されている。脚部１０の下端は、取付孔３ａに挿入し易くするため次第に細くなるテーパー形状となっている。脚部１０の周囲には、複数の弾性爪部１５が対向して設けられている。各爪部１５は、脚部周囲に逆凹状のスリット１６で区画されている。フランジ部２３は、脚部１０の上側周囲に一体化されて、脚部１０を中心とした傘状となっている。頭部１１は、脚部１０より若干大きな幅寸法の板状となっている。頭部１１の両側には、片部１２が左右方向に水平に突出形成されている。各片部１２の上面には窪み部１７が上面に形成されている。窪み部１７の深さはパッキン２の厚さに比例した適度な段差に形成される。頭部１１の下面と脚部１０の上周囲との間には補強壁部１４が２箇所に設けられている。なお、各片部１２の先端の下面には突起１２ａが設けられており、図１（ｂ）のごとく後述するテープ５が不用意に外れないようになっている。
【００１９】
これに対し、パッキン２は、図１及び図３のごとくシール部２０及びその両側の取付部２２からなる。シール部２０は、フランジ部１３とパネル３との間に配置される箇所であり、脚部１０を挿通する矩形の通し孔２３を中央部に形成している。各取付部２２は、シール部２０の対応側部に対し折り曲げ用の幅細部２１を介して一体化されている。各取付部２２の中央部には矩形の係合孔２４が設けられている。この係合孔２４は、対応する片部１２が上から下向き、或いは下か上向きに挿通可能となっている。
【００２０】
（取付操作）図４及び図５は、以上のパッキン２をクリップ１に対して取り付けるための２つの操作手順例を示している。以下、各操作手順を図を参照しつつ明らかにする。
【００２１】
（１）図４の手順では、まず、同（ａ）のごとくクリップの一方片部１２がパッキン２の対応する一方取付部２２の係合孔２４に対し上から下向きに挿入される。その状態から、パッキン２の他方取付部２２を斜め上向きに引っ張りながら、通し孔２３に脚部１０を挿通する。次に、パッキン２の他方取付部２２を同（ｂ）の想像線に示したごとく他方片部１２側へ更に引っ張りながら、他方取付部２２の係合孔２４に他方片部１２を挿通する。すると、パッキン２は、クリップ１に対し、脚部１０が通し孔２３に挿入され、各片部１２が対応する側の係合孔２４にそれぞれ挿入された状態で取り付けられる。この取付状態では、搬送過程等で過大な振動が加わってもパッキン２の脱落は生じない。
【００２２】
（２）図５の手順では、まず、同（ａ）のごとくクリップの一方片部１２をパッキン２の対応する一方取付部２２の係合孔２４に対し下から上向きに挿入し、その状態から他方取付部２２を他方片部１２側へ引っ張りながら、クリップの他方片部１２をパッキン２の他方取付部２２の係合孔２４に対し下から上向きに挿入する。その後、パッキン２は、同（ｂ）のごとくシール部２０が頭部１１の上面側より下面側に移動されるように反転操作され、かつ、脚部２０が通し孔２３に挿入されることにより、図４の同様に取り付けられる。
【００２３】
（使用例）図１（ａ）は、以上のようにしてパッキン２付きのクリップ１をパネル３に係合した状態を示している。すなわち、クリップ１は、脚部１０が取付孔３ａに押入されると、各爪部１５が下側の基端を支点として脚部１０の空洞内へ弾性変位し、取付孔３ａを通過すると、元の突出状態に復元されて取付孔３ａに対し係合されて抜け止めされる。この係合状態において、シール部２０は、パネル３とフランジ部１３に挟持され、かつ、フランジ部１３から受ける押圧力によりパネル３側に圧接しているため取付孔３ａの水密性を確実に維持可能となる。
【００２４】
図１（ｂ）は以上のようにしてパネル３に係合されたクリップ１にハーネス４を保持した使用状態を示している。この例では、多数のハーネス４が頭部１１及び両側の片部１２上に巻き付け用のテープ５などを介して保持されている。この保持状態では、片部１２の上側に突出していたパッキン２の取付部２２がハーネス４の荷重で窪み部１７内に折り曲げられている。なお、図１では窪み部１７を作図上浅くしたが、窪み部１７の深さはハーネス４が頭部１１及び両側の片部１２の上面に当接するように設定される。
【００２５】
以上の本発明のパッキン取付構造は、請求項で特定される構成を実質的に備えておればよく、細部は必要に応じて種々変更したり展開可能なものである。その例として、片部１２は頭部１１から一体に突出したが、フランジ部１３の近傍つまり補強壁部１４や脚部１０の上端周囲から一体に突出するようにしてもよい。また、クリップ１としては、物品保持用のタイプを示したが、部材同士を連結するタイプであってもよい。
【符号の説明】
【００２６】
１・・・クリップ（１０は脚部、１１は頭部、１３はフランジ部）
２・・・パッキン（２０はシール部、２１は幅細部、２２は取付部）
３・・・パネル（被取付部材に相当し、３ａは取付孔）
４・・・ハーネス（物品に相当し、５はテープ）
１２・・・片部（被係止部に相当し、１７は窪み部）
２３・・・通し孔
２４・・・係合孔（係合部）
【図１】
2013217451.tif 000003
【図２】
2013217451.tif 000004
【図３】
2013217451.tif 000005
【図４】
2013217451.tif 000006
【図５】
2013217451.tif 000007
【図６】
2013217451.tif 000008